(57)【特許請求の範囲】
【請求項１】
バーナを収容した燃焼室と、
該燃焼室と連通した給排気通路に設けられて、前記バーナへの燃焼用空気の供給と前記バーナの燃焼排ガスの排気を行なうファンと、
前記ファンの回転速度を検出する回転速度センサと、
前記ファンに供給されるファン電流を検出するファン電流センサと、
前記バーナの燃焼運転時に、前記ファンの目標回転速度が前記バーナの燃焼量に応じた目標回転速度となるように、前記ファン電流を制御するファン制御手段と、
前記バーナの燃焼運転が所定時間以上継続してから前記バーナが燃焼停止した後に、前記ファンを所定の閉塞検知回転速度で作動させ、該閉塞検知回転速度と該閉塞検知回転速度で作動している時の前記ファン電流との関係から、前記給排気通路の閉塞度合を示す第１閉塞補正値により記憶手段に保持する第４閉塞補正値を、維持、更新する閉塞補正値算出手段と、
前記バーナの燃焼運転中に、前記ファンの回転速度と前記ファン電流との関係から、前記給排気通路の閉塞度合を示す第２閉塞補正値を算出し、前記給排気通路の閉塞度合の増大が第１レベル以下であることを前記第４閉塞補正値と前記第２閉塞補正値との差が示しているときは、前記バーナの燃焼量と前記第４閉塞補正値とに基づいて前記目標回転速度を決定し、前記給排気通路の閉塞度合の増大が前記第１レベルより大きいことを前記第４閉塞補正値と前記第２閉塞補正値との差が示しているときには、前記バーナの燃焼量と前記第２閉塞補正値とに基づいて前記目標回転速度を決定する目標回転速度決定手段と
を備えたことを特徴とする燃焼装置。
【請求項２】
請求項１記載の燃焼装置において、
前記目標回転速度決定手段は、前記バーナの燃焼運転中に、前記バーナの燃焼量と前記第２閉塞補正値とに基づいて前記目標回転速度を決定しているときには、前記ファンの回転速度と前記ファン電流との関係から、前記給排気通路の閉塞度合を示す第３閉塞補正値を算出し、前記給排気通路の閉塞度合の増大が第２レベルより大きいことを前記第２閉塞補正値と前記第３閉塞補正値との差が示しているときは、該第３閉塞補正値を新たな前記第２閉塞補正値とする処理を、繰り返し実行することを特徴とする燃焼装置。
【請求項３】
請求項１又は２記載の燃焼装置において、
前記目標回転速度決定手段は、前記給排気通路の閉塞度合の減少が第３レベルより大きいことを前記第４閉塞補正値と前記第２閉塞補正値との差が示しているときにも、前記バーナの燃焼量と前記第２閉塞補正値とに基づいて前記目標回転速度を決定することを特徴とする燃焼装置。
【発明の詳細な説明】
【技術分野】
【０００１】
本発明は、バーナに対する給排気を強制的に行なうファンを備えた燃焼装置に関する。
【背景技術】
【０００２】
従来より、バーナの燃焼量に応じた給排気が行なわれるように、ファンの回転速度を制御する燃焼装置が知られている。かかる燃焼装置においては、ファンにより給排気が行なわれる給排気通路の閉塞が生じると、バーナに供給される燃焼用空気の流量が減少して、バーナの燃焼状態が悪化するおそれがある。
【０００３】
そこで、給排気通路の閉塞度合を検知して、給排気通路の閉塞度合が大きいほどファンの回転速度を高くする補正を行なって、給排気通路の閉塞が生じた場合であっても、バーナに対する燃焼用空気の供給不足が生じないようにした燃焼装置が知られている。そのような燃焼装置において閉塞度合を検知する方法としては、ファンを所定回転速度で作動させるために必要となるファンの駆動電流（以下、ファン電流という）の変化から閉塞度合を把握する方法が一般的である。
【０００４】
しかし、燃焼中にファンに供給される電流が比較的小さい燃焼装置にあっては、給排気通路の閉塞によりファンの送風量が低下しても、それに伴うファン電流の減少が極めて少ないため、例えば周囲の温度変化の影響でファン電流が減少した場合と閉塞によりファン電流が減少した場合との区別がつき難く、燃焼中のファン電流に基づいて給排気通路の閉塞度合を検出することが困難である。
【０００５】
そこで、ファン電流による給排気通路の閉塞度合の検出を、バーナが所定時間以上燃焼した後に消火されて周囲温度が安定しているときに、ファンを所定の閉塞検知回転速度で高速回転させてファン電流を増大させて行なうようにした燃焼装置が提案されている（例えば、特許文献１参照）。
【０００６】
特許文献１に記載された燃焼装置においては、このように、バーナの消火後に閉塞検知回転速度でファンを作動させることで、給排気通路の閉塞度合を示す閉塞補正係数を精度良く算出している。そして、該算出した閉塞補正値を記憶手段に保持しておき、バーナの次の燃焼運転時には、ファンの検出回転速度が、バーナの燃焼量と記憶装置に保持しておいた閉塞補正値とに基づいて決定した目標回転速度となるように、ファン電流を制御する。
【先行技術文献】
【特許文献】
【０００７】
【特許文献１】特開２００３−１６１４３９号公報
【発明の概要】
【発明が解決しようとする課題】
【０００８】
特許文献１の燃焼装置は、燃焼運転停止後の補正値算出を、燃焼運転停止前の燃焼運転が所定の継続時間以上であったときに限定して、ファン電流を増大させて行なうことにより、閉塞補正値を精度良く求めることができるという利点がある。しかし、燃焼運転中のファンの目標回転速度が、過去の燃焼運転の終了時に算出された閉塞補正値に基づくものになる。そのため、燃焼装置の使用に応じた給排気通路の閉塞度合の緩やかな変化、すなわち経時的な閉塞度合の変化には的確に対応できるものの、閉塞補正値が算出された時から次の燃焼運転の開始までの間に、突発的又は一時的に給排気通路の閉塞度合が変化したときには、閉塞度合に応じて目標回転速度を的確に設定することができないという不都合がある。
【０００９】
本発明の目的は、給排気通路の閉塞度合の経時的な変化に対応して、ファンの目標回転速度を高精度に設定すると共に、給排気通路の閉塞度合の突発的又は一時的な変化にも有効に対応して、ファンの目標回転速度を決定することができる燃焼装置を提供することである。
【課題を解決するための手段】
【００１０】
第１発明では、燃焼装置は、
バーナを収容した燃焼室と、
該燃焼室と連通した給排気通路に設けられて、前記バーナへの燃焼用空気の供給と前記バーナの燃焼排ガスの排気を行なうファンと、
前記ファンの回転速度を検出する回転速度センサと、
前記ファンに供給されるファン電流を検出するファン電流センサと、
前記バーナの燃焼運転時に、前記ファンの目標回転速度が前記バーナの燃焼量に応じた目標回転速度となるように、前記ファン電流を制御するファン制御手段と、
前記バーナの燃焼運転が所定時間以上継続してから前記バーナが燃焼停止した後に、前記ファンを所定の閉塞検知回転速度で作動させ、該閉塞検知回転速度と該閉塞検知回転速度で作動している時の前記ファン電流との関係から、前記給排気通路の閉塞度合を示す第１閉塞補正値により記憶手段に保持する第４閉塞補正値を、維持、更新する閉塞補正値算出手段と、
前記バーナの燃焼運転中に、前記ファンの回転速度と前記ファン電流との関係から、前記給排気通路の閉塞度合を示す第２閉塞補正値を算出し、前記給排気通路の閉塞度合の増大が第１レベル以下であることを前記第４閉塞補正値と前記第２閉塞補正値との差が示しているときは、前記バーナの燃焼量と前記第４閉塞補正値とに基づいて前記目標回転速度を決定し、前記給排気通路の閉塞度合の増大が前記第１レベルより大きいことを前記第４閉塞補正値と前記第２閉塞補正値との差が示しているときには、前記バーナの燃焼量と前記第２閉塞補正値とに基づいて前記目標回転速度を決定する目標回転速度決定手段とを備える。
【００１１】
第１発明によれば、目標回転速度決定手段は、バーナの燃焼運転中に、ファンの回転速度とファン電流との関係から、給排気通路の閉塞度合を示す第２閉塞補正値を算出し、給排気通路の閉塞度合の増大が第１レベル以下であることを第４閉塞補正値と第２閉塞補正値との差が示しているときは、バーナの燃焼量と第１閉塞補正値とに基づいて目標回転速度を決定する。そのため、給排気通路の閉塞度合について突発的又は一時的な増大が起きていないときには、その後の一時的な閉塞に因る燃焼悪化の可能性に対しては第４閉塞補正値から第２閉塞補正値へ変更して対処する余地を残しつつ、第４閉塞補正値に基づいて給排気通路についての経時的な閉塞に対応した精度の高い目標回転速度を決定することができる。また、給排気通路の閉塞度合の増大が第１レベルより大きいことを第４閉塞補正値と第２閉塞補正値との差が示しているときには、バーナの燃焼量と第２閉塞補正値とに基づいて目標回転速度を決定する。すなわち、第４閉塞補正値と第２閉塞補正値との差が、給排気通路の閉塞度合の増大が第１レベル以上であることを示している場合には、誤差の影響よりも一時的又は突発的な閉塞の可能性に因る影響の方が高いため、これに対処して、この増大による燃焼用空気の供給流量の減少を抑制するように目標回転速度を的確に決定することができる。
【００１２】
第２発明では、第１発明において、前記目標回転速度決定手段は、前記バーナの燃焼運転中に、前記バーナの燃焼量と前記第２閉塞補正値とに基づいて前記目標回転速度を決定しているときには、前記ファンの回転速度と前記ファン電流との関係から、前記給排気通路の閉塞度合を示す第３閉塞補正値を算出し、前記給排気通路の閉塞度合の増大が第２レベルより大きいことを前記第１閉塞補正値と前記第２閉塞補正値との差が示しているときは、該第３閉塞補正値を新たな前記第２閉塞補正値とする処理を、繰り返し実行する。
【００１３】
第２発明によれば、目標回転速度決定手段は、バーナの燃焼運転中は、各時点のファンの回転速度とファン電流との関係から第３閉塞補正値を算出し続け、給排気通路の閉塞度合の増大が第２レベルより大きいことを第２閉塞補正値と第３閉塞補正値との差が示しているときは、第３閉塞補正値を新たな第２閉塞補正値とする。そのため、バーナの燃焼運転中に給排気通路の閉塞度合がさらに増大したときに、この増大による燃焼用空気の供給流量の減少を抑制するように目標回転速度を的確に決定することができる。また、第３閉塞補正値を第２閉塞補正値とする処理は、燃焼不良が起こり易い可能性のある場合に行なうので、燃焼を悪化させることがない。
【００１４】
第３発明では、第１又は第２発明において、目標回転速度決定手段は、前記給排気通路の閉塞度合の減少が第３レベルより大きいことを前記第４閉塞補正値と前記第２閉塞補正値との差が示しているときにも、前記バーナの燃焼量と前記第２閉塞補正値とに基づいて前記目標回転速度を決定する。
【００１５】
第３発明によれば、給排気通路の閉塞度合が突発的又は一時的に減少したときにも、燃焼用空気の供給流量の増大を抑制するように目標回転速度を的確に決定することができる。また、燃焼運転停止後に、正確な閉塞補正値を算出するものにおいても、燃焼中に一時的に風量の変化が起こった場合に対応することができる。
【図面の簡単な説明】
【００１６】
【図１】本実施の形態の燃焼装置のファン制御部の構成を示すブロック図。
【図２】ファンの回転速度と駆動電流との相対関係を示すグラフ。
【図３】図１に示したコントローラの作動フローチャートの第１の部分を示す図。
【図４】図１に示したコントローラの作動フローチャートの第２の部分を示す図。
【図５】図１に示したコントローラの作動フローチャートの第３の部分を示す図。
【発明を実施するための形態】
【００１７】
図１は本実施の形態の燃焼装置のファン制御部の構成を示すブロック図である。ファン１はファンモータ２と回転速度センサ３を備え、マイクロコンピュータやメモリ等からなるコントローラ４によりその作動が制御される。コントローラ４は、メモリに保持された燃焼装置の制御用プログラムをマイクロコンピュータで実行することにより、燃焼装置の運転条件（給湯温度や暖房温度等）に応じてバーナの目標燃焼量（Ｑａ）を設定するバーナ燃焼量設定部６、目標燃焼量（Ｑａ）に対応した燃焼用空気が得られるファン１の目標回転速度（Ｎａ）を決定する目標回転速度決定部７、バーナが収容された燃焼室と連通した給排気通路の閉塞度合を検知して該閉塞度合に応じた目標回転速度（Ｎａ）の補正係数（Ｈ）を決定する補正係数決定部８（本発明の閉塞補正値算出手段に相当する）、補正係数（Ｈ）を用いて目標回転速度（Ｎａ）を補正する目標回転速度補正部９（本発明の目標回転速度決定手段に相当する）、及び補正後の目標回転速度（Ｎｂ）と回転速度センサ３により検出されるファン１の実回転速度（Ｎｓ）が一致するようにファンモータ２に供給する電流（Ｉｄ、以下、ファン電流という）を制御するファン回転速度制御部１０（本発明のファン制御手段に相当する）として機能する。
【００１８】
なお、リセットスイッチ１５は、メモリ１１として不揮発性のメモリ（例：フラッシュメモリ）を使用する場合に利用するものであり、メモリ１１として揮発性のメモリ（例：ＲＡＭ）、すなわち燃焼装置の電源がオンにある期間のみ記憶を保持するメモリを使用する場合には、不要となる。リセットスイッチ１５の意義等についての詳細説明は後述する。
【００１９】
コントローラ４には、ファン電流（Ｉｄ）を検出する電流センサ５（本発明のファン電流センサに相当する）と、揮発性のメモリ１１（本発明の記憶手段に相当する）が設けられている。そして、補正係数決定部８は、ファン１を所定の閉塞検知回転速度で回転させたときに電流センサ５で検出されるファン電流（Ｉｄ）の変化から、給排気通路の閉塞度合を検知する。
【００２０】
図２は、ファンモータ２の作動特性を示したグラフであり、横軸がファン１の回転速度（Ｎ）に設定され、縦軸がファン電流（Ｉｄ）に設定されている。図２において、２０は給排気通路に閉塞が生じていない場合のファン１の回転速度−電流特性を示す定常ラインであり、２１は補正係数（Ｈ）が１．０のときのファン１の回転速度−電流特性を示している。
【００２１】
２１は補正を行なうか否かを決める基準ラインである。そして、給排気通路の閉塞が進むにつれて、ファン１の回転速度−電流特性は図中２３、２４へと変化し、ファン１を閉塞検知回転速度（Ｎｔ）で作動させるために必要なファン電流（Ｉｄ）が次第に減少する。なお、２４は補正係数（Ｈ）を求めるために実験により予め定めたファン１の回転速度−電流特性の補助値ラインである。
【００２２】
また、Ｉ３，Ｉ１は、それぞれファン１の回転速度が閉塞検知回転速度（Ｎｔ）であるときの補助値ライン２４及び基準値ライン２１におけるファン電流値、Ｉ２はファン１の回転速度が閉塞検知回転速度（Ｎｔ）であるときの電流センサ５の検出電流値、ａはＩ１とＩ３の差（ａ＝Ｉ１−Ｉ３）、ｂはＩ２とＩ３の差（ｂ＝Ｉ２−Ｉ３）である。
【００２３】
そして、補正係数決定部８は、以下の式（１）により補正係数（Ｈ）を算出する。なお、式（１）の補正係数（Ｈ）は、実際の適用では、後述の第１補正係数（Ｈａ）、第２補正係数（Ｈｂ）又は第３補正係数（Ｈｃ）として算出される。第１補正係数（Ｈａ）を式（１）により算出する場合には、式（１）右辺のａ，ｂは、ファン１の実回転速度を、後述の式（３）で算出した閉塞検知回転速度（Ｎｔ）にして、その時のファン電流（ｉｄ＝Ｉ２）を検出し、図２における該閉塞検知回転速度及び該ファン電流の交点に基づき割り出す。これに対し、第２補正係数（Ｈｂ）又は第３補正係数（Ｈｃ）を式（１）により算出する場合には、式（１）右辺のａ，ｂは、ファン１の実回転速度を閉塞検知回転速度（Ｎｔ）にすることなく、燃焼運転中の現時点のファン回転速度及びファン電流（Ｉｄ＝Ｉ２）を検出し、図２における該ファン回転速度及び該ファン電流の交点に基づき割り出す。
Ｈ ＝ ｛（ａ／ｂ）−１｝×α＋１ ・・・・・（１）
但し、α：実験やシミュレーション等により定めた１以下の定数。
【００２４】
ここで、給排気通路の閉塞度合が大きくなるにつれて、給排気通路内の気圧が低下するので、給排閉塞検知回転速度（Ｎｔ）における電流センサ５の検出電流（Ｉ２）は小さくなる。そのため、上記式（１）のａ／ｂが大きくなって補正係数（Ｈ）が大きくなる。そして、目標回転速度補正部９は、以下の式（２）により目標回転速度（Ｎａ）を補正するため、給排気通路の閉塞度合が大きくなるほど、補正後の目標回転速度（Ｎｂ）が高く設定される。
【００２５】
Ｎｂ ＝ Ｈ × Ｎａ ・・・・・（２）
なお、目標回転速度（Ｎａ）は、前述したように、目標燃焼量（Ｑａ）に対応した燃焼用空気が得られるファン１の目標回転速度である。補正後の目標回転速度（Ｎｂ）は、補正係数（Ｈ）と目標回転速度（ Ｎａ）とに基づき決定されるので、バーナの燃焼量と第１閉塞補正値（Ｈａ）、第２閉塞補正値（Ｈｂ）又は第３閉塞補正値（Ｈｃ）とに基づき決定されることになる。第１補正係数（Ｈａ）、第２補正係数（Ｈｂ）及び第３閉塞補正値（Ｈｃ）はそれぞれ本発明の第１閉塞補正値、第２閉塞補正値及び第３閉塞補正値に相当する。本発明の第１閉塞補正値、第２閉塞補正値及び第３閉塞補正値とは、給排気通路の閉塞度合を示すものであって、給排気通路の閉塞度合を反映したファン目標回転速度の算出に使用する値と定義することにし、係数であってもよいし、ファン目標回転速度の算出式内の所定の項や対応定数であってもよいとする。
【００２６】
次に、図１及び図２を参照しつつ、図３〜図５に示したフローチャートに従って、コントローラ４の作動について説明する。図３において、ＳＴＥＰ１で電源スイッチ（図示しない）がＯＮ操作されて、燃焼装置への電源供給が開始されると、コントローラ４は、先ずＳＴＥＰ２で補正係数（Ｈ）を初期値の１．０に設定してメモリ１１に記憶し、ＳＴＥＰ３でカウンタ変数（ＣＮＴ）をクリアして、ＳＴＥＰ４で運転スイッチ（図示しない）のＯＮ操作待ちとなる。
【００２７】
運転スイッチがＯＮ操作されると、ＳＴＥＰ４からＳＴＥＰ５に進み、コントローラ４は、バーナの燃焼運転を開始する。具体的には、コントローラ４は、第４補正係数（Ｈａ。第１補正係数（Ｈａ）と第４補正係数（Ｈａ）との関係については後述。）をメモリ１１から読み出し、補正係数（Ｈ）に第４補正係数（Ｈａ）を代入するとともに、上述したバーナ燃焼量設定部６、目標回転速度決定部７、補正係数決定部８、目標回転速度補正部９、及びファン回転速度制御部１０により、ファン１の回転速度を補正後の目標回転速度（Ｎｂ）に保つ回転速度制御を実行する。該補正後の目標回転速度（Ｎｂ）は、目標回転速度（Ｎａ）とメモリ１１から読み出した第４補正係数（Ｈａ）を代入された補正係数（Ｈ）とから上記式（２）に基づき決定した値である。
【００２８】
なお、前述の式（１）で算出した第１補正係数（Ｈａ）とメモリ１１に記憶される第４補正係数（Ｈａ）との関係について説明する。第４補正係数（Ｈａ）とは、第１補正係数（Ｈａ）そのものである場合もあるし、第１補正係数（Ｈａ）を補正した値であることもある、すなわち、後のＳＴＥＰ３５，３６，４３，４４，５０，８０で説明するように、ＳＴＥＰ３５，４３の判定が否であれば、第１補正係数（Ｈａ）がそのまま第４補正係数（Ｈａ）としてメモリ１１に記憶されるが、ＳＴＥＰ３５，４３の判定が正であれば、更新前の第４補正係数（Ｈａ）に対する増加量を制限されてから、第４補正係数（Ｈａ）としてメモリ１１に記憶される。
【００２９】
第４補正係数（Ｈａ）とは、第１補正係数（Ｈａ）に対して補正無しで又は補正してメモリ１１に記憶される補正係数と定義する。なお、第４補正係数（Ｈａ）は本発明の「第４閉塞補正値」に相当する。
【００３０】
ＳＴＥＰ６では、コントローラ４は１０分タイマをスタートする。１０分タイマの設定時間の１０分は一例であり、タイマの設定時間は、給排気通路を流れる燃焼用空気及びバーナの燃焼排ガスに対する抵抗が安定しかつファン電流（Ｉｄ）の変動が減少する時間よりも長い時間を燃焼装置の形態に応じて設定することができる。
【００３１】
コントローラ４は、ＳＴＥＰ７で補正係数（Ｈ）が１．３６以上であるか否かを確認する。補正係数（Ｈ）が１．３６以上であったときには、ＳＴＥＰ８に分岐して給排気通路の閉塞が進んでいることをエラーランプ（図示しない）の点灯やブザー（図示しない）の鳴動により使用者に報知する。
【００３２】
補正係数決定部８は、ＳＴＥＰ９で、電流センサ５により現在のファン回転速度におけるファン電流（Ｉｄ）を検出し、ＳＴＥＰ１０で、ファン電流（Ｉｄ）に基づいて、上記式（１）により第２補正係数（Ｈｂ）を算出する。
【００３３】
コントローラ４は、ＳＴＥＰ１１で、Ｈｂ−Ｈａが所定の正の定数Ｃ１以下であるか否かを確認する。そして、Ｈｂ−Ｈａ≦Ｃ１であるときは、ＳＴＥＰ１２へ進み、Ｈｂ−Ｈａ＞Ｃ１であるときは、ＳＴＥＰ１３（図４）へ進む。なお、Ｃ１は、給排気通路の閉塞度合の増大についての本発明の第１レベルに対応する、第１閉塞補正値と第２閉塞補正値との差に相当する。
【００３４】
ＳＴＥＰ１１の“Ｈｂ−Ｈａ≦Ｃ１”は“｜Ｈｂ−Ｈａ｜≦Ｃ１”に置き換えることもできる。なお、｜Ｈｂ−Ｈａ｜はＨｂ−Ｈａの絶対値を意味する。置き換えた場合の意義については、本実施形態の変形例として後述する。
【００３５】
コントローラ４は、ＳＴＥＰ１２で運転停止条件（運転スイッチのＯＦＦ操作、タイマ運転の終了等）が成立するか否かを確認する。そして、運転停止条件が成立していれば、バーナの燃焼を直ちに停止してから、ＳＴＥＰ２１（図４）へ進む。また、運転停止条件が成立していなければ、ＳＴＥＰ９へ戻る。
【００３６】
図４において、コントローラ４は、ＳＴＥＰ１３で補正係数（Ｈ）に第２補正係数（Ｈｂ）を代入する。この結果、コントローラ４は、第２補正係数（Ｈｂ）を代入された更新後の補正係数（Ｈ）を上記式（２）に使って、ファン１の目標回転速度（Ｎｂ）を再補正し、ファン１の回転速度制御は、ファン１の回転速度を再補正後の目標回転速度（Ｎｂ）に保つ回転速度制御に切り替えられる。
【００３７】
ＳＴＥＰ１４，１５の処理は前述のＳＴＥＰ７，８（図３）の処理と同一である。すなわち、コントローラ４は、ＳＴＥＰ１４で補正係数（Ｈ）が１．３６以上であるか否かを確認する。補正係数（Ｈ）が１．３６以上であったときには、ＳＴＥＰ１５に分岐して給排気通路の閉塞が進んでいることをエラーランプ（図示しない）の点灯やブザー（図示しない）の鳴動により使用者に報知する。
【００３８】
ＳＴＥＰ１６，１７，２０の処理は前述のＳＴＥＰ９，１０，１２（図３）の処理と同一である。すなわち、補正係数決定部８は、ＳＴＥＰ１６で、電流センサ５により現在の回転速度におけるファン電流（Ｉｄ）を検出し、ＳＴＥＰ１７で、ファン電流（Ｉｄ）に基づいて、上記式（１）により第３補正係数（Ｈｃ）を新たに算出する。
【００３９】
コントローラ４は、ＳＴＥＰ１８で、Ｈｃ−Ｈｂが所定の正の定数Ｃ２以下であるか否かを確認する。ＳＴＥＰ１８における“Ｃ２”は、本実施形態ではＣ２＝Ｃ１であるが、Ｃ２≠Ｃ１とすることもできる。なお、Ｃ２は、給排気通路の閉塞度合の増大についての本発明の第２レベルに対応する、第１閉塞補正値と第２閉塞補正値との差に相当する。Ｈｃ−Ｈｂ＞Ｃ２であるときは、ＳＴＥＰ１９へ進み、ＨｂにＨｃを代入してから、ＳＴＥＰ１３へ戻る。これに対し、Ｈｃ−Ｈｂ≦Ｃ２であるときは、ＳＴＥＰ２０へ進む。
【００４０】
ＳＴＥＰ１８の“Ｈｃ−Ｈｂ≦Ｃ２”を“｜Ｈｃ−Ｈｂ｜≦Ｃ２”に置き換えることもできる。なお、｜Ｈｃ−Ｈｂ｜はＨｃ−Ｈｂの絶対値を意味する。置き換えた場合の意義については、本実施形態の変形例として後述する。
【００４１】
こうして、補正係数（Ｈ）を第４補正係数（Ｈａ）から第２補正係数（Ｈｂ）へ１回、変更した後も、燃焼運転が維持される限り、各時点における最新のファン電流（Ｉｄ）に基づき第３補正係数（Ｈｃ）を算出して、Ｈｃ−Ｈｂ＞Ｃ２となれば、第２補正係数（Ｈｂ）を第３補正係数（Ｈｃ）に再代入して、補正係数（Ｈ）を変更後の第２補正係数（Ｈｂ）に更新する処理が繰り返される。これにより、燃焼運転中の給排気通路の２回目以降の突発的又は一時的な閉塞度増大に対して、ファン回転速度を適宜、増大していくことができる。
【００４２】
コントローラ４は、ＳＴＥＰ２０で運転停止条件（運転スイッチのＯＦＦ操作、タイマ運転の終了等）が成立したか否かを確認する。そして、運転停止条件が成立すると、バーナの燃焼を直ちに停止してから、ＳＴＥＰ２１に進み、コントローラ４は、１０分タイマがタイムアップしているか否か、すなわち、燃焼運転が１０分以上継続されたか否かを確認する。そして、１０分タイマがタイムアップしていなかったときは、ＳＴＥＰ２２に進み、コントローラ４はファン１を所定時間（例えば５秒間）作動させて燃焼室内をパージして図３のＳＴＥＰ４に戻り、再び運転スイッチの操作待ちとなる。
【００４３】
一方、１０分タイマがタイムアップしていたときには、継続的な燃焼運転により、燃焼装置全体が加熱されて安定して給排気通路の閉塞度合を検知することができる状態にあると判断できるため、図５のＳＴＥＰ３１〜ＳＴＥＰ３６、ＳＴＥＰ４０〜ＳＴＥＰ４４、ＳＴＥＰ５０，５１，８０により、補正係数決定部８は第１補正係数（Ｈａ）を決定する処理を実行する。具体的には、第１補正係数（Ｈａ）は、それがメモリ１１の第４補正係数（Ｈａ）に対して所定の上限を超えない場合には、補正無しで、また、超えている場合には、第４補正係数（Ｈａ）＋上限に置き換えられて、第４補正係数（Ｈａ）としてメモリ１１に記憶される。なお、本実施の形態では、揮発性のメモリ１１を採用しているが、不揮発性のメモリを使用するときは、燃焼装置の電源を落とした後も前回決定された第４補正係数（Ｈａ）がメモリ１１に記憶されるため、図５のＳＴＥＰ４０〜ＳＴＥＰ４４及びＳＴＰ５０，５１の処理は不要となる。
【００４４】
補正係数決定部８は、先ずＳＴＥＰ３１で今回の燃焼運転が燃焼装置に電源が投入されてから最初（１回目）の燃焼運転であったか否かを判断する。そして、電源が投入されてから最初の燃焼運転であったときは、ＳＴＥＰ４０に分岐し、補正係数決定部８は、メモリ１１に記憶された第４補正係数（Ｈａ，この場合は初期値の１．０に設定されている）に基づいて、以下の式（３）により閉塞検知回転速度（Ｎｔ）を算出し、該閉塞検知回転速度（Ｎｔ）でファンを作動させる。
【００４５】
Ｎｔ ＝ Ｎｉ×｛（Ｈａ−１）×Ａ＋１｝ ・・・・・（３）
但し、Ｎｉ：予め設定された閉塞検知回転速度の初期値、Ａ：実験やシミュレーション等により決定された定数。
【００４６】
これにより、給排気通路の閉塞度合が大きいほど閉塞検知回転速度（Ｎｔ）が高く設定される。そのため、給排気通路の閉塞により閉塞検知時のファン電流（Ｉｄ）が減少して、図２におけるｂの値が小さくなって、上記式（１）による第１補正係数（Ｈａ）の算出精度が低下するのを防止している。
【００４７】
次のＳＴＥＰ４１では、補正係数決定部８は、閉塞検知回転速度（Ｎｔ）におけるファン電流（Ｉｄ）を検出し、ＳＴＥＰ４２で、ファン電流（Ｉｄ）に基づいて、上記式（１）により第１補正係数（Ｈａ）を算出する。そして、次のＳＴＥＰ４３で、今回算出した第１補正係数とメモリ１１に記憶されていた第４補正係数との差（ΔＨａ）が、０．０５を超えていたときは、ＳＴＥＰ５０に分岐する。
【００４８】
ここで、０．０５という値は、給排気通路への突風の吹き込み等により、給排気通路の空気抵抗が瞬間的に増減した場合に、閉塞度合の誤検知が生じることを防止するために設定された値であると共に、給排気通路における空気の流量の安定を見るために設定された値である。そして、今回算出した第１補正係数とメモリ１１に記憶されていた第４補正係数との差（ΔＨａ）が０．０５を超えたときには、補正係数決定部８は、ＳＴＥＰ５０で第４補正係数（Ｈａ）を０．０４だけ増加させてから、ＳＴＥＰ５１で増加後の第４補正係数（Ｈａ）をメモリ１１に記憶する。
【００４９】
なお、ＳＴＥＰ５１における第４補正係数（Ｈａ）の増加分をＳＴＥＰ４３における上限値（０．０５）よりも小さい０．０４に設定したが、該増加分を該上限値と同じ値に設定してもよい。
【００５０】
補正係数決定部８は、ＳＴＥＰ４２で今回算出した第１補正係数とメモリ１１に記憶されていた第４補正係数の差（ΔＨａ）が０．０５以下となるまで、ＳＴＥＰ４０〜ＳＴＥＰ４２及びＳＴＥＰ５０，５１の処理を繰り返し実行する。これにより、電源投入時に、既に給排気通路の閉塞が進んだ状態であって、第４補正係数（Ｈａ）を大きな値に設定する必要がある場合に、第１補正係数（Ｈａ）を０．０４ずつ徐々に増加させることができる。
【００５１】
そのため、補正係数決定部８は、第４補正係数（Ｈａ）を大きな値に設定する必要がある場合であっても、上述した給排気通路への突風の吹き込み等の影響を排除して、第４補正係数（Ｈａ）を決定することができる。
【００５２】
そして、ＳＴＥＰ４３で第１補正係数と第４補正係数との差（ΔＨａ）が０．０５以下となったときにＳＴＥＰ４４に進み、補正係数決定部８は、算出した第１補正係数（Ｈａ）をメモリ１１に記憶して更新し、ＳＴＥＰ３７に進む。
【００５３】
一方、ＳＴＥＰ３１で、電源投入後最初の燃焼運転でなかったときには、ＳＴＥＰ３２に進み、補正係数決定部８は、メモリ１１に記憶された閉塞検知回転速度（Ｎｔ）でファン１を作動させる。ここで、閉塞検知回転速度（Ｎｔ）は、前回の給排気通路の閉塞度合の検知結果に応じて算出されてメモリ１１に記憶された第４補正係数（Ｈａ）を用いて、上記式（３）により算出される。そのため、給排気通路の閉塞が進むにつれて閉塞検知回転速度（Ｎｔ）が高く設定され、給排気通路の閉塞検知に必要なファン電流が確保される。
【００５４】
この場合、補正係数決定部８は、ＳＴＥＰ２０で燃焼運転が停止した後、所定時間（ファン１が閉塞検知回転速度（Ｎｔ）に達するまでに要する時間の最長値（例えば１０秒）となる）以内に閉塞検知回転速度（Ｎｔ）におけるファン電流（Ｉｄ）を検出することができる。そのため、１０分以上の継続的な燃焼運転の実行により、給排気通路の空気抵抗やファン電流（Ｉｄ）が安定した状態で、補正係数決定部８は、ＳＴＥＰ３３で閉塞検知回転速度（Ｎｔ）におけるファン電流（Ｉｄ）を精度良く検出することができる。
【００５５】
そして、次のＳＴＥＰ３４で、補正係数決定部８は、電流センサ５によりファン電流（Ｉｄ）を検出し、ファン電流（Ｉｄ）に基づいて、上記式（１）により第１補正係数（Ｈａ）を算出する。
【００５６】
次のＳＴＥＰ３５は、上述したＳＴＥＰ４３と同様に、給排気通路への突風の吹き込み等の影響により給排気通路の閉塞度合が誤って実際よりも高く検知されたときに、該閉塞度合に応じて第４補正係数（Ｈａ）が変更されることを防止するためのものである。補正係数決定部８は、今回算出した第１補正係数とメモリ１１に記憶されていた第４補正係数との差（ΔＨ）が０．０４以下であったときは、ＳＴＥＰ３６で今回算出した第１補正係数（Ｈａ）を第４補正係数（Ｈａ）としてメモリ１１に記憶して、第４補正係数（Ｈａ）を更新する。
【００５７】
一方、ＳＴＥＰ３５で、今回算出した第１補正係数（Ｈａ）とメモリ１１に記憶されていた第４補正係数（Ｈａ）との差（ΔＨａ）が０．０４を超えたときには、ＳＴＥＰ８０に分岐し、補正係数決定部８は、メモリ１１に記憶された補正係数に０．０４を加算してから、加算後の第４補正係数（Ｈａ）を、ＳＴＥＰ３６でメモリ１１に記憶して、第４補正係数（Ｈａ）を更新する。これにより、補正係数決定部８は、突風の影響により第４補正係数（Ｈａ）が極端に大きく変更されることを防止している。
【００５８】
続くＳＴＥＰ３７で、コントローラ４は、メモリ１１に記憶された第４補正係数（Ｈａ）が給排気通路の閉塞判定基準値である１．４以上であるか否かを確認する。第４補正係数（Ｈａ）が１．４以上であったときはＳＴＥＰ６０に分岐し、コントローラ４は、カウンタ変数（ＣＮＴ）をカウントアップする。
【００５９】
次のＳＴＥＰ６１でカウント変数（ＣＮＴ）が３以上であったとき、すなわち、第４補正係数（Ｈａ）が３回連続して１．４以上となったときには、コントローラ４は、給排気通路の閉塞が生じたと判断してＳＴＥＰ７０に分岐し、運転スイッチのＯＮ操作待ちとなる。そして、運転スイッチがＯＮ操作されたときに、ＳＴＥＰ７１に進んで、コントローラ４は給排気通路が閉塞したことをエラーランプの点灯やブザーの鳴動により使用者に報知し、燃焼運転の実行を禁止する。
【００６０】
また、ＳＴＥＰ３７で、第４補正係数（Ｈａ）が１．４未満であったときには、ＳＴＥＰ３８に進み、コントローラ４は、カウント変数（ＣＮＴ）をクリアして図３のＳＴＥＰ４に戻り、再び運転スイッチのＯＮ操作待ちとなる。
【００６１】
このように、補正係数決定部８は、１０分以上燃焼運転が継続されて燃焼装置が全体的に加熱されて燃焼運転が消火した直後であって、給排気通路を流れる燃焼用空気及びバーナの燃焼排ガスに対する抵抗が安定すると共にファン電流（Ｉｄ）の変動も減少した状態で、ファン１を閉塞検知回転速度（Ｎｔ）で回転させてファン電流（Ｉｄ）を検出する。そのため、補正係数決定部８は、給排気通路の閉塞度合に応じて変動するファン電流（Ｉｄ）を精度良く検出することができ、検出したファン電流（Ｉｄ）に基づいてファン１の目標回転速度の第４補正係数（Ｈａ）を精度良く決定することができる。
【００６２】
図１のリセットスイッチ１５について説明する。リセットスイッチ１５は、メモリ１１を不揮発性とした場合に、コントローラ４に装備される。リセットスイッチ１５が操作されたときに、コントローラ４によりメモリ１１に記憶された第４補正係数（Ｈａ）を初期値とする（Ｈａ＝１．０）。リセットスイッチ１５を設けることによって、メンテナンスにより給排気通路の閉塞が解消されたときに、メンテナンス作業者は、リセットスイッチ１５を操作して、第４補正係数（Ｈａ）を給排気通路の閉塞が生じていない状態に対応した初期値に戻すことができる。
【００６３】
図３〜図５の変形例について説明する。ＳＴＥＰ１８（図４）では、Ｈｃ−Ｈｂ≦Ｃ２であるか否かを確認しているが、これに代えて、｜Ｈｃ−Ｈｂ｜≦Ｃ２とすることもできる。この場合、Ｈｃ−Ｈｂ＞Ｃ２のときだけでなく、Ｈｂ−Ｈｃ＞Ｃ２のときも、すなわち、閉塞度合が減少したときも、ＳＴＥＰ１９で第２補正係数（Ｈｂ）が第３補正係数（Ｈｃ）により更新された後、ＳＴＥＰ１３で補正係数（Ｈ）に更新後の第２補正係数（Ｈｂ）が代入され、この結果、ファンの目標回転速度が低下することになる。例えば、第４補正係数（Ｈａ）をメモリ１１に記憶してから、今回の燃焼運転までに、給排気通路に突発的又は一時的な閉塞が生じて、補正係数（Ｈ）が第４補正係数（Ｈａ）から第２補正係数（Ｈｂ）にＳＴＥＰ１３で変更され、その後、同一の燃焼運転中に、該突発的又は一時的な閉塞が解除されることがある。ＳＴＥＰ１８でＨｂ−Ｈａ＞Ｃ２のときも、ＳＴＥＰ１８からＳＴＥＰ１９を経由してＳＴＥＰ１３へ戻ることにより、燃焼運転中に突発的又は一時的な閉塞が解除された時の給排気通路の閉塞度合の減少に対しても、適切に対応することができる。
【００６４】
別の変形例として、ＳＴＥＰ１１（図３）におけるＨｂ−Ｈａ≦Ｃ１であるか否かの確認を、｜Ｈｂ−Ｈａ｜≦Ｃ１であるか否かの確認に代えてもよい。すなわち、ＳＴＥＰ１１において、Ｈｂ−Ｈａ≦Ｃ１の確認だけでなく、Ｈａ−Ｈｂ≦Ｃ１の確認も行なうようにする。Ｈａ−Ｈｂ≦Ｃ１の場合のＣ１は給排気通路の閉塞度合の減少についての本発明の第３レベルに対応する、第４閉塞補正値と第２閉塞補正値との差に相当する。｜Ｈｂ−Ｈａ｜≦Ｃ１の確認にした場合には、前回の燃焼運転の終了時から次の燃焼運転の開始時までの間に、又は次の燃焼運転開始後の該次の燃焼運転中に、給排気通路の清掃や給排気通路を部分的に塞いでいた養生シートの除去等がなされて、給排気通路の閉塞度合が減少したときに、該次の燃焼運転において、ＳＴＥＰ１１から図４のＳＴＥＰ１３に分岐して、閉塞度合が減少した給排気通路の状況に応じた第２補正係数（Ｈｂ）を算出することができる。そして、このようにして算出された第２補正係数（Ｈｂ）を用いてファンの目標回転速度を決定することにより、給排気通路の閉塞度合が減少した場合に、バーナへの燃焼用空気の供給量が過剰になることを防止して、燃焼用空気の供給量を適切に制御することができる。
【符号の説明】
【００６５】
１・・・ファン、２・・・ファンモータ、３・・・回転速度センサ、４・・・コントローラ、５・・・電流センサ、６・・・バーナ燃焼量設定部、７・・・目標回転速度決定部、８・・・補正係数決定部、９・・・目標回転速度補正部、１０・・・ファン回転速度制御部。
【図１】
0005366899.tif 000002
【図２】
0005366899.tif 000003
【図３】
0005366899.tif 000004
【図４】
0005366899.tif 000005
【図５】
0005366899.tif 000006